(57)【要約】【課題】生産効率を著しく向上できるプレキャストコンクリートタンクを提案することにある。【解決手段】複数の壁面ブロック４同士を結束線によって周方向に連結させて一体的に組み付けて構築するプレキャストコンクリートタンク１において、壁面ブロック４同士を連接する際、端部20における外壁面９側又は内壁面８側のいずれかを近接させ、この状態のまま、端部20の中央付近に形成したグラウト溝28にグラウト材31を充填して止水処理を施すことにより、隣接する壁面ブロック４の端部20同士の対向角度を調整できるようにした。従って、プレキャストコンクリートタンク１では、同一形状でなる壁面ブロック４をそのまま用いて貯留部12を縮径又は拡径できることにより、構築する貯留部12の大きさに合わせて、その都度異なる形状の壁面ブロック４を別途生産する必要がない分、プレキャストコンクリートタンク１の生産効率を向上できる。【選択図】図２
0003121470.tif 000002
【実用新案登録請求の範囲】
【請求項１】
複数の壁面プレキャストコンクリートブロックを周方向に連接し、隣接する前記壁面プレキャストコンクリートブロック同士を結束手段によって連結させて一体的に組み付けることにより、前記複数の壁面プレキャストコンクリートブロックの内壁面で取り囲まれた貯留部を構築するプレキャストコンクリートタンクにおいて、
前記壁面プレキャストコンクリートブロックの端部には、その中央付近に上部から下部に亘って、グラウト材の流入を促進するためのグラウト溝を備え、
前記壁面プレキャストコンクリートブロック同士を連接する際、前記隣接する壁面プレキャストコンクリートブロックにおける端部の外壁面側又は内壁面側を近接させ、前記グラウト溝にグラウト材を充填して止水処理を施すことにより、前記端部同士の対向角度を調整することを特徴とするプレキャストコンクリートタンク。
【請求項２】
前記壁面プレキャストコンクリートブロックは、前記周方向の中央部を両端部よりも肉厚に成型し、かつ前記内壁面をほぼ平面状に成型することを特徴する請求項１記載のプレキャストコンクリートタンク。
【請求項３】
前記結束手段は周方向に緊張される結束線であって、前記壁面プレキャストコンクリートブロックの端部が両端部に連結される定着用プレキャストコンクリートブロックを有し、該定着用プレキャストコンクリートブロックには前記結束線が定着された周方向に延びる結束線定着部を備え、前記定着用プレキャストコンクリートブロックの両端部間の幅寸法が、前記結束線定着部の長手方向の寸法と同一でなることを特徴とする請求項１又は２記載のプレキャストコンクリートタンク。
【考案の詳細な説明】
【技術分野】
【０００１】
この考案は、プレキャストコンクリートタンクに関し、例えばプレキャストコンクリートで形成され、液体又は、家畜の排泄物や泥水等のように液体と固体粒子とでなる懸濁液を貯留させるためのプレキャストコンクリートタンクに適用して好適なものである。
【背景技術】
【０００２】
従来、懸濁液を貯留する場合には、複数の壁面プレキャストコンクリートブロック（以下、これを壁面ブロックと呼ぶ）を周方向へ連接してゆき、隣接する壁面ブロック全体をＰＣ鋼線やＰＣ鋼より線等の結束線又はボルトやナット等によって一体的に結束して円筒型または多角形型に構築されたプレキャストコンクリートタンク（スラリータンク）が用いられている（例えば、特許文献１参照）。
【０００３】
このようなプレキャストコンクリートタンクは、酪農の規模や設置する空間に合わせて、壁面ブロックの個数を増減させることによりプレキャストコンクリートタンクの直径を調節し、タンク容量を所望の大きさに合わせることができるように構成されている。
【０００４】
また、このようなプレキャストコンクリートタンクに用いられる壁面ブロックは、型枠にコンクリートを充填し、当該コンクリートを固化させることにより成型している。ここで、このような型枠は、例えば壁面ブロックの内壁面、外壁面、側部及び底部にそれぞれ対応する枠部材が壁面ブロックと同じように立設して設置され、この枠部材によって当該壁面ブロックと同形状の中空部を形成し、上方に設けられた壁面ブロックの上部に対応する大きさでなる開口部から中空部内へコンクリートを充填し得るようになされている。因みに、このような型枠としては、壁面ブロックの上部に替えて壁面ブロックの底部側に開口部を備えたものもあり、この場合にあっては下方の開口部から中空部内へコンクリートを充填し得るようになされている。
【特許文献１】特開平１１−１６９００５号公報
【考案の開示】
【考案が解決しようとする課題】
【０００５】
ところが、かかる構成のプレキャストコンクリートタンクでは、壁面ブロックの個数を増減させただけではタンク容量を所望の大きさに合わせることができない場合、所望するプレキャストコンクリートタンクの直径に合わせてその都度最適な大きさでなる壁面ブロックを別途生産する必要があるため、各壁面ブロックの生産に長時間を要し、プレキャストコンクリートタンクの生産効率を向上させ難いという問題があった。
【０００６】
また、上述した型枠を用いて壁面ブロックを成型する場合には、コンクリートを充填するための開口部が壁面ブロックの全体の大きさに比べて比較的面積が小さいことから、このような小さい開口部から中空部内へコンクリートを充填するには熟練を要し、かつ各壁面ブロック１つの生産に長時間を要するため、プレキャストコンクリートタンクの生産効率を向上させ難いという問題があった。
【０００７】
そこで本考案は以上の点を考慮してなされたもので、生産効率を向上できるプレキャストコンクリートタンクを提案しようとするものである。
【課題を解決するための手段】
【０００８】
本考案の請求項１では、複数の壁面プレキャストコンクリートブロックを周方向に連接し、隣接する前記壁面プレキャストコンクリートブロック同士を結束手段によって連結させて一体的に組み付けることにより、前記複数の壁面プレキャストコンクリートブロックの内壁面で取り囲まれた貯留部を構築するプレキャストコンクリートタンクにおいて、前記壁面プレキャストコンクリートブロックの端部には、その中央付近に上部から下部に亘って、グラウト材の流入を促進するためのグラウト溝を備え、前記壁面プレキャストコンクリートブロック同士を連接する際、前記隣接する壁面プレキャストコンクリートブロックにおける端部の外壁面側又は内壁面側を近接させ、前記グラウト溝にグラウト材を充填して止水処理を施すことにより、前記端部同士の対向角度を調整するようにした。
【０００９】
本考案の請求項２では、前記壁面プレキャストコンクリートブロックは、前記周方向の中央部を両端部よりも肉厚に成型し、かつ前記内壁面をほぼ平面状に成型するようにした。
【００１０】
本考案の請求項３では、前記結束手段は周方向に緊張される結束線であって、前記壁面プレキャストコンクリートブロックの端部が両端部に連結される定着用プレキャストコンクリートブロックを有し、該定着用プレキャストコンクリートブロックには前記結束線が定着された周方向に延びる結束線定着部を備え、前記定着用プレキャストコンクリートブロックの両端部間の幅寸法が、前記結束線定着部の長手方向の寸法と同一でなるようにした。
【考案の効果】
【００１１】
本考案の請求項１によれば、同一形状でなる壁面プレキャストコンクリートブロックをそのまま用いて貯留部を縮径又は拡径できることにより、構築する貯留部の大きさに合わせて、その都度異なる形状の壁面プレキャストコンクリートブロックを別途生産する必要がない分、プレキャストコンクリートタンクの生産効率を向上できる。また異なる形状でなる壁面プレキャストコンクリートブロックの生産を回避できる分、特別な型枠等が不必要となり、壁面プレキャストコンクリートブロックの生産コストを低減できる。
【００１２】
本考案の請求項２によれば、このような形状でなる壁面プレキャストコンクリートブロックであれば、壁面プレキャストコンクリートブロックを生産するに際し、底枠部の中央部が側枠部側よりも凹み、かつこの底枠部の対向側が開放した箱型でなる型枠を用い、当該型枠の開放側からコンクリートを充填することにより、型枠の底枠部側で壁面プレキャストコンクリートブロックの中央部を両端部よりも肉厚に成型できるとともに、型枠の開放側で壁面プレキャストコンクリートブロックをほぼ平坦に成型できるため、最適な形状でなる壁面プレキャストコンクリートブロックを容易に生産でき、かくしてプレキャストコンクリートタンクの生産効率を著しく向上できる。
【００１３】
本考案の請求項３によれば、他の壁面プレキャストコンクリートブロックと同様に、定着用プレキャストコンクリートブロックの両端部にも壁面プレキャストコンクリートブロックの端部を連接させて全体を結束線で結束できるので、プレキャストコンクリートタンクの組み立て時の作業負担を軽減できる。また、この定着用プレキャストコンクリートブロックは壁面プレキャストコンクリートブロックと同じ厚さ寸法となる箇所を有しないので極端な凹凸がなく構造が単純化できる。このため定着用プレキャストコンクリートブロックは重量を軽量化でき作業効率の向上を図れるとともに、生産コストの低減を図ることができ、また定着用プレキャストコンクリートブロックの成型型枠を簡易な構成にできるとともに、定着用プレキャストコンクリートブロックを容易に製造できる。
【考案を実施するための最良の形態】
【００１４】
以下、本考案における好ましい実施例について、添付図面を参照しながら説明する。
【００１５】
図１（Ａ）において、１は全体として本考案のプレキャストコンクリートタンクを示し、このプレキャストコンクリートタンク１は、地面Ｇに設置されたコンクリート基礎２と、このコンクリート基礎２上に立設した所定の高さ寸法（この場合、約4.8[m]）でなり、所定の直径寸法（この場合、約38[m]）を有する側壁部３とで構築されている。
【００１６】
側壁部３は、図１（Ｂ）に示すように、複数の壁面プレキャストコンクリートブロック（以下、これを壁面ブロックと呼ぶ）４が円周方向に連接されているとともに、直径線上に対向した第１の定着用プレキャストコンクリートブロック（以下、これを第１の定着用ブロックと呼ぶ）5a，5b及びこの第１の定着用ブロック5a，5bとは異なる位置で直径線上に対向した第２の定着用プレキャストコンクリートブロック（以下、これを第２の定着用ブロックと呼ぶ）6a，6bが壁面ブロック４に連接されている。そして、これら壁面ブロック４と第１及び第２の定着用ブロック5a，5b及び6a，6bは、当該第１及び第２の定着用ブロック5a，5b及び6a，6bに定着したＰＣ鋼線やＰＣ鋼より線等の結束線（後述する）によって全体を一体的に結束されることにより円筒型又は多角形型に構築されている。
【００１７】
これにより側壁部３は複数の壁面ブロック４と第１及び第２の定着用ブロック5a，5b及び6a，6bとを一体的に組み付けて、これら壁面ブロック４の内壁面８と第１及び第２の定着用ブロック5a，5b及び6a，6bの内壁面10とで取り囲んだ貯留部12を形成することにより、この貯留部12に懸濁液（図示せず）を貯留し得るようになされている。
【００１８】
ここで壁面ブロック４は、図２（Ｂ）に示すように、ほぼ長方形状で形成されており、図２（Ａ）及び（Ｃ）に示すように、内壁面８全体が平面状に形成されている。また壁面ブロック４は、外壁面９の上部13と下部14との間に段部15を有することにより、下部14が上部13よりも肉厚に形成され、安定した状態でコンクリート基礎２上に立設し得る。
【００１９】
かかる構成に加えて、壁面ブロック４は、図２（Ｂ）の当該壁面ブロック４の中央部16におけるＡ−Ａ′線を断面にとった図２（Ａ）に示すように、中央部16における下部14の厚み寸法が端部20における下部14の厚み寸法（図２（Ｃ））と同じ厚さに選定されているものの、中央部16における上部13の厚み寸法D1については端部20における上部13の厚み寸法D2（図２（Ｃ））よりも肉厚に形成されている。
【００２０】
すなわち、壁面ブロック４は、図３に示すように、外壁面９の上部13において中央部16が外方へ盛り上がるようにして角部を有しない断面円弧状に成型されていることにより、外壁面９の上部13において中央部16が最も肉厚になるように構成されている。
【００２１】
ここで、外壁面９における上部13の中央部16が端部20よりも肉厚で、かつ内壁面８が平面状でなる壁面ブロック４を製造する場合、図４に示すような型枠21が用いられる。
【００２２】
この型枠21は、全体として箱型でなり、壁面ブロック４の外壁面９の形状を成型するための（すなわち、壁面ブロック４の外壁面９と同一形状でなる）底枠部22が両側枠部23、上枠部24及び下枠部（図示せず）によって囲まれており、これにより上方が開放された成型部25を形成し得るようになされている。
【００２３】
また型枠21における底枠部22の上枠部24側では、両側枠部23が最も浅く形成されているとともに、両側枠部23から中央部22aに向うに従って次第にほぼ円弧状に凹むように形成され、当該底枠部22の中央部22aが最も深く形成されている。因みに、型枠21における底枠部22の下枠部側（図示せず）は、壁面ブロック４における外壁面９と同形状の段部15及び下部14を形成した凹部が形成されている。
【００２４】
そして、この型枠21を用いて壁面ブロック４を成型する場合には、型枠21の成型部25内にコンクリートを充填し（図示せず）、この成型部25内で当該コンクリートを固化させる。このとき、型枠21に充填されたコンクリートは、型枠21の底枠部22によって壁面ブロック４の外壁面９の形状が成型され得るとともに、型枠21の開放された開放側ではコンクリートの表面がほぼ平坦に成型され得るようになされている。その後、このコンクリートの表面に対しては、仕上げ作業として生産者により鏝がけが行われ、壁面ブロック４の内面壁８が形成される。
【００２５】
また、型枠21には、両側枠部23が所定の角度に傾斜されているとともに、グラウト材の流入を促進するためのグラウト溝や、目地シーリング材を挿入するためのシーシング溝等を成型するための突起部（図示せず）が所定位置に配置されている。これにより型枠21によって成型された壁面ブロック４の端部20は、図５に示すように、外壁面９側が内壁面８側よりも突出するように角度θの傾斜が形成される。また、壁面ブロック４の端部20には、その中央付近にほぼ断面半円状のグラウト溝28が上部13から下部14に亘って形成されているとともに、内壁面８側及び外壁面９側の角部にそれぞれ上部13から下部14に亘ってシーリング溝29が形成される。
【００２６】
かくして、図６に示すように、周方向に隣接する壁面ブロック４同士の各目地部30には、グラウト溝28間にグラウト材31が充填されるとともに、外壁面９側及び内壁面８側にそれぞれ目地バックアップ材32と、さらにシーリング溝29間に目地シーリング材33が挿入され、これにより目地部30において止水処理が施されて貯留部12に貯留された懸濁液が目地部30から外部へ漏れ出ないようにようになされている。
【００２７】
なお、この場合、壁面ブロック４では、段部15から下部14にかけても目地バックアップ材32と目地シーリング材33とがそれぞれ挿入され、これにより目地部30において止水処理が施されている。
【００２８】
このとき、隣接する壁面ブロック４同士の各目地部30で止水処理を施す場合、当該壁面ブロック４の端部20における任意の位置を近接位置として、隣接する壁面ブロック４の端部20同士の対向角度を調整し得、これにより側壁部３の直径寸法を拡径又は縮径し得るようになされている。
【００２９】
すなわち、図６に示したように、隣接する壁面ブロック４の目地部30において内壁面８側付近を近接位置として止水処理を施した場合には、外壁面９側の端部20間が離間するとともに、内壁面８側の端部20間が近接し、これにより側壁部３の直径寸法を全体として縮径することができるようになされている。
【００３０】
これに対して、図７に示すように、隣接する壁面ブロック４の目地部30において外壁面９側付近を近接位置として止水処理を施した場合には、外壁面９側の端部20間が近接するとともに、内壁面８側の端部20間が離間し、これにより側壁部３の直径寸法を全体として拡径することができるようになされている。
【００３１】
ところで、これら壁面ブロック４は外壁面９において複数本の結束線により結束されているが、この結束線は、側壁部３の外周上を半周し得る長さ寸法に選定されている。結束線は、図８（Ａ）及び（Ｂ）に示すような第１の定着用ブロック5a，5bに両先端部が定着具36で取り付けられて第１の定着用ブロック5a及び5b間に緊張される第１の結束部材37と、図９（Ａ）及び（Ｂ）に示すような第２の定着用ブロック6a，6bに両先端部が定着具36で取り付けられて第２の定着用ブロック6a及び6b間に緊張される第２の結束部材38とによって構成されている。
【００３２】
すなわち、第１及び第２の定着用ブロック5a，5b及び6a，6bは、結束線35を定着する定着具36を備え、この定着具36は第１及び第２の定着用ブロック5a，5b及び6a，6bの両端部45に設けられ、かつこの第１及び第２の定着用ブロック5a，5b及び6a，6bの両端部45に壁面ブロック４の端部20が連結され得るようになされている。
【００３３】
第１の定着用ブロック5a，5bは、図８（Ａ）及び（Ｂ）に示したように、厚みを有するほぼ長方形状でなり、その内部において緊張された結束線35を定着する定着具36が両端部45に配置された結束線定着部40と、当該定着具36が配置されておらず結束線35を挿通させるだけの結束線挿通部41とが上部13から下部14にかけて順次交互に複数設けられており、全ての壁面ブロック４を均一に結束し得るようになされている。
【００３４】
因みに、この実施の形態の場合、第１の定着用ブロック5a，5bには、結束線定着部40が最上段である第１段目51、第３段目53、第５段目55及び第７段目57にそれぞれ設けられているとともに、結束線挿通部41が第２段目52、第４段目54及び第６段目56に設けられており、上部13から下部14全体に結束線定着部40及び結束線挿通部41が順次交互に配置されていることにより均一な結束力を壁面ブロック４全体に与えることができる。
【００３５】
ここで結束線定着部40は、第１及び第２の定着用ブロック5a，5b及び6a，6bにおいてほぼ水平に円周方向に向かって延びており、その長手方向の寸法が第１及び第２の定着用ブロック5a，5b及び6a，6bの両端部45間の幅寸法と同一に形成されている。
【００３６】
結束線定着部40には、高さを変えて片側だけにそれぞれ定着具36が設けられ、この定着具36によって第１の結束部材37が一方向及びそれとは逆の他方向にそれぞれ半周状に緊張され、これにより各段において第１の定着用ブロック5a及び5b間の両側から複数の壁面ブロック４を均一に結束し得るようになされている。
【００３７】
一方、第２の定着用ブロック6a，6bは、図９（Ａ）及び（Ｂ）に示したように、第１の定着用ブロック5a，5bと同様に厚みを有するほぼ長方形状でなり、その内部において結束線定着部40と結束線挿通部41とが、上部13から下部14にかけて第１の定着用ブロック5a，5bとは逆順に順次交互に複数設けられており、全ての壁面ブロック４を均一に結束し得るようになされている。
【００３８】
因みに、この実施の形態の場合、第２の定着用ブロック6a，6bには、結束線定着部40が第２段目52、第４段目54及び第６段目56にそれぞれ設けられているとともに、結束線挿通部41が第１段目51、第３段目53、第５段目55及び第７段目57に設けられており、上部13から下部14全体に結束線定着部40及び結束線挿通部41が第１の定着用ブロック5a，5bとは逆順に順次交互に配置されていることにより、第１の定着用ブロック5a，5bとともに均一な結束力を壁面ブロック４に与えることができる。
【００３９】
ここで、これら第１及び第２の定着用ブロック5a，5b及び6a，6bの両端部45は、図８（Ｂ）及び図９（Ｂ）の当該第１及び第２の定着用ブロック5a，5b及び6a，6bにおけるＢ−Ｂ′線及びＣ−Ｃ′線を断面にとった図１０に示すように、壁面ブロック４の端部20の厚み寸法D2と同じ厚み寸法D2を有し、隣接する壁面ブロック４との間の目地部30において、グラウト材が充填されるとともに、内壁面10側及び外壁面11側に目地バックアップ材と、さらにシーリング溝間に目地シーリング材とがそれぞれ挿入され、これにより上述と同様に目地部30において止水処理が施されて貯留部12に貯留された懸濁液が目地部30から外部へ漏れ出ないようにようになされている。
【００４０】
以上の構成において、プレキャストコンクリートタンク１では、周方向の中央部16が両端部20よりも肉厚で、かつ内壁面８がほぼ平面状に成型した壁面ブロック４を、周方向に連接してゆき、隣接する壁面ブロック４同士を結束線35によって連結して一体的に組み付けるようにした。
【００４１】
かくして、このような形状でなる壁面ブロック４であれば、当該壁面ブロック４を生産するに際して、底枠部22の中央部22aが両側枠部23側よりも凹み、かつこの底枠部22の対向側が開放した箱型でなる型枠21を用いることにより、型枠21の底枠部22側で壁面ブロック４の中央部16を両端部20よりも肉厚に成型できるとともに、型枠21の開放側で壁面ブロック４をほぼ平坦に成型できるため、最適な形状でなる壁面ブロック４を容易に生産できる。
【００４２】
そして、このような型枠21では、壁面ブロック４において比較的大きな面積を有する内壁面８に対応する型枠部を省くことができるので、その分だけ当該型枠21を簡易な構成にでき、また型枠21の生産コストを低減できる。
【００４３】
また、このプレキャストコンクリートタンク１では、壁面ブロック４同士を連接する際に、当該壁面ブロック４の端部20の外壁面９側又は内壁面８側を近接位置として、隣接する壁面ブロック４の端部20同士の対向角度を調整可能にしたことにより、側壁部３を縮径又は拡径できる。
【００４４】
これにより、プレキャストコンクリートタンク１では、当該プレキャストコンクリートタンク１の設置面積が小さい場所であっても、当該設置場所の面積に応じて、隣接する壁面ブロック４の目地部30において内壁面８側付近を近接させて止水処理を施すことにより全体として側壁部３を縮径でき、かくして設置面積が小さい場所であっても同一形状でなる壁面ブロック４を用いて確実に設置できる。
【００４５】
これに対して、プレキャストコンクリートタンク１では、当該プレキャストコンクリートタンク１の貯留部12により多くの懸濁液を貯留させようとする場合、隣接する壁面ブロック４の目地部30において外壁面９側付近を近接させて止水処理を施すことにより全体として側壁部３を拡径でき、かくして側壁部３に囲まれた貯留部12の容積を増やすことができるので、多くの懸濁液を確実に貯留できる。
【００４６】
ところで、従来のプレキャストコンクリートタンクにおける壁面ブロックにおいては、構築する貯留部12の直径寸法に合わせてその端部の傾斜角度を選定し、その都度所定の傾斜角度の壁面ブロックを生産していたことから、壁面ブロックの生産コストがかかるという問題があった。
【００４７】
これに対して、本願考案のプレキャストコンクリートタンク１においては、端部20が所定の傾斜角度でなる壁面ブロック４をそのまま用いて貯留部12を縮径又は拡径できることにより、構築する貯留部12の大きさに合わせて、端部の傾斜角度が異なる壁面ブロックをその都度生産することを回避できる。
【００４８】
また、従来のプレキャストコンクリートタンクにおける結束線を定着する構造においては、壁面ブロックの外壁面のほぼ中央部付近に、当該壁面ブロックよりも両端部の幅寸法が小さい柱形の結束線定着突起柱が別途取り付けられ全体としてほぼ断面凸状に形成されていたことから、外壁面に極端な凹凸がある分、構造が複雑化し、また生産コストがかかり、さらには全体として重量が重いものとなりプレキャストコンクリートタンクの組み立て作業が煩雑になるという問題があった。
【００４９】
これに対して、本願考案のプレキャストコンクリートタンク１においては、第１及び第２の定着用ブロック5a，5b及び6a，6bの両端部45に亘って結束線定着部40が設けられ、かつこの第１及び第２の定着用ブロック5a，5b及び6a，6bの両端部45に壁面ブロック４の端部20が直接連結されていることから、他の壁面ブロック４の組み付け作業と同様に、第１及び第２の定着用ブロック5a，5b及び6a，6bを壁面ブロック４に連接させて結束線35で容易に結束できる。そして、第１及び第２の定着用ブロック5a，5b及び6a，6bは、このように外壁面11に極端な凹凸がなく構造が単純化できるので重量が軽量化でき作業効率の向上を図れるとともに、生産コストの低減を図ることができ、かつ容易に製造することができる。
【００５０】
以上の構成によれば、壁面ブロック４同士を連接する際、端部20における外壁面９側又は内壁面８側のいずれかを近接させ、この状態のまま、端部20の中央付近に形成したグラウト溝28にグラウト材31を充填して止水処理を施すことにより、隣接する壁面ブロック４の端部20同士の対向角度を調整できるようにした。
【００５１】
従って、プレキャストコンクリートタンク１では、同一形状でなる壁面ブロック４をそのまま用いて貯留部12を縮径又は拡径できることにより、構築する貯留部12の大きさに合わせて、その都度異なる形状の壁面ブロック４を別途生産する必要がない分、プレキャストコンクリートタンク１の生産効率を向上できる。また異なる形状でなる壁面ブロック４の生産を回避できる分、特別な型枠等が不必要となり、壁面ブロック４の生産コストを低減できる。
【００５２】
また、複数の壁面ブロック４を周方向に連接し、隣接する壁面ブロック４同士を結束線35によって連結させて一体的に組み付けることにより、複数の壁面ブロック４の内壁面８で取り囲まれた貯留部12を構築するプレキャストコンクリートタンク１において、壁面ブロック４は、周方向の中央部16を両端部20よりも肉厚に成型し、かつ内壁面８をほぼ平面状に成型するようにした。
【００５３】
この場合、このような形状でなる壁面ブロック４であれば、壁面ブロック４を生産するに際し、底枠部22の中央部22aが側枠部23側よりも凹み、かつこの底枠部22の対向側が開放した箱型でなる型枠21を用い、当該型枠21の開放側からコンクリートを充填することにより、型枠21の底枠部22側で壁面ブロック４の中央部16を両端部20よりも肉厚に成型できるとともに、型枠21の開放側で壁面ブロック４をほぼ平坦に成型できるため、最適な形状でなる壁面ブロック４を容易に生産でき、かくしてプレキャストコンクリートタンク１の生産効率を著しく向上できる。
【００５４】
さらに、第１及び第２の定着用ブロック5a，5b及び6a，6bは結束線35を定着させるための結束線定着部40を備えており、この第１及び第２の定着用ブロック5a，5b及び6a，6bの両端部45間の幅寸法を、円周方向に延びる結束線定着部40の長手方向の寸法と同じに成型するようにした。
【００５５】
従って、他の壁面ブロック４と同様に、第１及び第２の定着用ブロック5a，5b及び6a，6bの両端部45にも壁面ブロック４の端部20を連接させて全体を結束線35で結束できるので、プレキャストコンクリートタンク１の組み立て時の作業負担を軽減できる。また、第１及び第２の定着用ブロック5a，5b及び6a，6bは壁面ブロック４と同じ厚さ寸法となる箇所を有しないので外郭に極端な凹凸がなく構造が単純化できる。このため第１及び第２の定着用ブロック5a，5b及び6a，6bは重量を軽量化でき作業効率の向上を図れるとともに、生産コストの低減を図ることができ、また第１及び第２の定着用ブロック5a，5b及び6a，6bの成型型枠を簡易な構成にできるとともに、第１及び第２の定着用ブロック5a，5b及び6a，6bを容易に製造できる。
【００５６】
なお、上述した実施の形態においては、結束手段として、ＰＣ鋼線やＰＣ鋼より線等の結束線35を用いるようにした場合について述べたが、本考案はこれに限らず、ボルトやナットなど他の種々の結束手段を用いるようにしても良い。
【００５７】
また、上述した実施の形態においては、定着用ブロックとして、４つの第１及び第２の定着用ブロック5a，5b及び6a，6bを適用するようにした場合について述べたが、本考案はこれに限らず、５つや６つなどこの他複数の定着用ブロックを適用するようにして良い。
【００５８】
さらに、上述した実施の形態においては、壁面ブロック４の外壁面９を外方へ盛り上がるようにして角部を有しない断面円弧状に成型するようにした場合について述べたが、本考案はこれに限らず、壁面ブロック４の外壁面９における周方向の中央部を両端部よりも肉厚に成型するようにすれば、壁面ブロックの外壁面を断面多角形状等のように種々の断面形状に成型するようにしても良い。
【図面の簡単な説明】
【００５９】
【図１】本考案によるプレキャストコンクリートタンクの全体構成及び側壁部の構成を示す概略図である。
【図２】壁面ブロックの構成を示す側断面図、正面図及び側面図である。
【図３】壁面ブロックの構成を示す水平断面図である。
【図４】型枠の構成を示す断面図である。
【図５】壁面ブロックの端部の詳細構成を示す水平断面図である。
【図６】隣接する壁面ブロック間の目地部の構成（１）を示す断面図である。
【図７】隣接する壁面ブロック間の目地部の構成（２）を示す断面図である。
【図８】第１の定着用ブロックの構成を示す正面断面図及び側面図である。
【図９】第２の定着用ブロックの構成を示す正面断面図及び側面図である。
【図１０】第１及び第２の定着用ブロックの構成を示す水平断面図である。
【符号の説明】
【００６０】
１  プレキャストコンクリートタンク
４  壁面ブロック（壁面プレキャストコンクリートブロック）
5a，5b  第１の定着用ブロック（定着用プレキャストコンクリートブロック）
6a，6b  第２の定着用ブロック（定着用プレキャストコンクリートブロック）
８  内壁面
12  貯留部
20  端部
16  中央部
35  結束線（結束手段）
40  結束線定着部
【図１】
0003121470.tif 000003
【図２】
0003121470.tif 000004
【図３】
0003121470.tif 000005
【図４】
0003121470.tif 000006
【図５】
0003121470.tif 000007
【図６】
0003121470.tif 000008
【図７】
0003121470.tif 000009
【図８】
0003121470.tif 000010
【図９】
0003121470.tif 000011
【図１０】
0003121470.tif 000012